【手続補正書】
【提出日】平成30年3月22日(2018.3.22)
【手続補正３】
【補正対象書類名】特許請求の範囲
【補正対象項目名】全文
【補正方法】変更
【補正の内容】
【特許請求の範囲】
【請求項１】
タッチパネルを用いた文字入力装置であって、
前記タッチパネルに表示された操作ガイド領域と文字選択領域とのうち該文字選択領域に対する操作を受け付けて処理し、前記タッチパネル上の操作位置を示す位置情報を少なくとも出力する入力処理手段と、
前記文字選択領域を区分した複数の領域の各領域でそれぞれ選択可能な文字群を示したテーブルを複数保持した記憶手段と、
前記文字選択領域に対する第１操作がなされたときは、該第１操作に係る前記位置情報に基づいて前記複数の領域のうちの１つを特定し、前記記憶手段より当該領域に対応したテーブルを選択し、前記文字選択領域に対する第２操作がなされたときは、当該第２操作に係る前記位置情報に基づいて前記複数の領域のうちの１つを特定し、前記選択されたテーブルを参照して、文字を特定する文字特定処理手段と、
前記特定された文字を前記タッチパネル上に表示する表示制御手段と、を備えた
文字入力装置。
【請求項２】
前記文字選択領域は、中心点を通る４本の直線により放射状に第１乃至第８の領域に区分されており、
該第１乃至第８の領域には、前記選択可能な文字群として、「あ行、か、き、く」からなる第１文字群と、「け、こ、さ行」からなる第２文字群と、「た行、な、に、ぬ」からなる第３文字群と、「ね、の、は行」からなる第４文字群と、「ま行、や、ゆ、よ」からなる第５文字群と、「ら行、わ、を、ん」からなる第６文字群と、記号に係る第７文字群と、操作に係る第８文字群と、のいずれかが重複することなく割り当てられており、
前記操作ガイド領域には、第１乃至第８の領域に上記第１乃至第８文字群のいずれかが選択可能に割り当てられている旨を示唆する表示をなす
請求項１に記載の文字入力装置。
【請求項３】
タッチパネルを用いた文字入力装置であって、
前記タッチパネルに表示された文字選択領域に対する操作を受け付けて処理し、前記タッチパネル上の操作位置を示す位置情報を少なくとも出力する入力処理手段と、
前記文字選択領域を区分した複数の領域の各領域でそれぞれ選択可能な文字群を示したテーブルを複数保持した記憶手段と、
前記文字選択領域に対する第１操作がなされたときは、該第１操作に係る前記位置情報に基づいて前記複数の領域のうちの１つを特定し、前記記憶手段より当該領域に対応したテーブルを選択し、前記文字選択領域に対する第２操作がなされたときは、当該第２操作に係る前記位置情報に基づいて前記複数の領域のうちの１つを特定し、前記選択されたテーブルを参照して、文字を特定する文字特定処理手段と、
前記特定された文字を前記タッチパネル上に表示する表示制御手段と、を備え、
前記文字選択領域は、第１乃至第８の領域に区分されており、
該第１乃至第８の領域には、前記選択可能な文字群として、「あ行、か、き、く」からなる第１文字群と、「け、こ、さ行」からなる第２文字群と、「た行、な、に、ぬ」からなる第３文字群と、「ね、の、は行」からなる第４文字群と、「ま行、や、ゆ、よ」からなる第５文字群と、「ら行、わ、を、ん」からなる第６文字群と、記号に係る第７文字群と、操作に係る第８文字群と、のいずれかが重複することなく割り当てられており、
前記操作ガイド領域には、第１乃至第８の領域に上記第１乃至第８文字群のいずれかが選択可能に割り当てられている旨を示唆する表示をなす
文字入力装置。
【請求項４】
前記文字選択領域と少なくとも一部が重なる領域に広告表示領域が設けられており、
前記文字入力の過程で前記広告表示領域に広告を表示する広告制御部を備えた
請求項１乃至請求項３のいずれか１項に記載の文字入力装置。
【請求項５】
前記文字選択領域は、画面の左寄り、あるいは右寄りに矩形領域で割り当てられる
請求項１乃至請求項４のいずれか１項に記載の文字入力装置。
【請求項６】
タッチパネルを用いた文字入力装置による文字入力方法であって、
前記タッチパネルに表示された操作ガイド領域と文字選択領域とのうち該文字選択領域に対する操作を受け付けて処理し、前記タッチパネル上の操作位置を示す位置情報を少なくとも出力するステップと、
前記文字選択領域に対する第１操作がなされたときは、該第１操作に係る前記位置情報に基づいて前記複数の領域のうちの１つを特定し、記憶手段より当該領域に対応したテーブルを選択するステップと、
前記文字選択領域に対する第２操作がなされたときは、当該第２操作に係る前記位置情報に基づいて前記複数の領域のうちの１つを特定し、前記選択されたテーブルを参照して文字を特定するステップと、
前記特定された文字を前記タッチパネル上に表示するステップと、を有する
文字入力方法。
【請求項７】
前記文字選択領域は、中心点を通る４本の直線により放射状に第１乃至第８の領域に区分されており、
該第１乃至第８の領域には、前記選択可能な文字群として、「あ行、か、き、く」からなる第１文字群と、「け、こ、さ行」からなる第２文字群と、「た行、な、に、ぬ」からなる第３文字群と、「ね、の、は行」からなる第４文字群と、「ま行、や、ゆ、よ」からなる第５文字群と、「ら行、わ、を、ん」からなる第６文字群と、記号に係る第７文字群と、操作に係る第８文字群と、のいずれかが重複することなく割り当てられており、
前記操作ガイド領域には、第１乃至第８の領域に上記第１乃至第８文字群のいずれかが選択可能に割り当てられている旨を示唆する表示をなす
請求項６に記載の文字入力方法。
【請求項８】
タッチパネルを用いた文字入力装置による文字入力方法であって、
前記タッチパネルに表示された文字選択領域に対する操作を受け付けて処理し、前記タッチパネル上の操作位置を示す位置情報を少なくとも出力するステップと、
前記文字選択領域に対する第１操作がなされたときは、該第１操作に係る前記位置情報に基づいて前記複数の領域のうちの１つを特定し、記憶手段より当該領域に対応したテーブルを選択するステップと、
前記文字選択領域に対する第２操作がなされたときは、当該第２操作に係る前記位置情報に基づいて前記複数の領域のうちの１つを特定し、前記選択されたテーブルを参照して文字を特定するステップと、
前記特定された文字を前記タッチパネル上に表示するステップと、を有し、
前記文字選択領域は、第１乃至第８の領域に区分されており、
該第１乃至第８の領域には、前記選択可能な文字群として、「あ行、か、き、く」からなる第１文字群と、「け、こ、さ行」からなる第２文字群と、「た行、な、に、ぬ」からなる第３文字群と、「ね、の、は行」からなる第４文字群と、「ま行、や、ゆ、よ」からなる第５文字群と、「ら行、わ、を、ん」からなる第６文字群と、記号に係る第７文字群と、操作に係る第８文字群と、のいずれかが重複することなく割り当てられており、
前記操作ガイド領域には、第１乃至第８の領域に上記第１乃至第８文字群のいずれかが選択可能に割り当てられている旨を示唆する表示をなす
文字入力方法。
【請求項９】
前記文字選択領域と少なくとも一部が重なる領域に広告表示領域が設けられており、
前記文字入力の過程で前記広告表示領域に広告を表示するステップを更に有する
請求項６乃至請求項８に記載の文字入力方法。
【請求項１０】
前記文字選択領域は、画面の左寄り、あるいは右寄りに矩形領域で割り当てられ、
ユーザに片手で持った状態での親指による入力を促す
請求項６乃至請求項９のいずれか１項に記載の文字入力方法。
【請求項１１】
タッチパネルを用いた文字入力装置に組み込まれるプログラムであって、
前記文字入力装置を、
前記タッチパネルに表示された操作ガイド領域と文字選択領域とのうち該文字選択領域に対する操作を受け付けて処理し、前記タッチパネル上の操作位置を示す位置情報を少なくとも出力する入力処理手段、
前記文字選択領域を区分した複数の領域の各領域でそれぞれ選択可能な文字群を示したテーブルを複数保持した記憶手段、
前記文字選択領域に対する第１操作がなされたときは、該第１操作に係る前記位置情報に基づいて前記複数の領域のうちの１つを特定し、前記記憶手段より当該領域に対応したテーブルを選択し、前記文字選択領域に対する第２操作がなされたときは、当該第２操作に係る前記位置情報に基づいて前記複数の領域のうちの１つを特定し、前記選択されたテーブルを参照して、文字を特定する文字特定処理手段、
前記特定された文字を前記タッチパネル上に表示する表示制御手段、
として機構させるためのプログラム。
【請求項１２】
前記文字選択領域は、中心点を通る４本の直線により放射状に第１乃至第８の領域に区分されており、
該第１乃至第８の領域には、前記選択可能な文字群として、「あ行、か、き、く」からなる第１文字群と、「け、こ、さ行」からなる第２文字群と、「た行、な、に、ぬ」からなる第３文字群と、「ね、の、は行」からなる第４文字群と、「ま行、や、ゆ、よ」からなる第５文字群と、「ら行、わ、を、ん」からなる第６文字群と、記号に係る第７文字群と、操作に係る第８文字群と、のいずれかが重複することなく割り当てられており、
前記操作ガイド領域には、第１乃至第８の領域に上記第１乃至第８文字群のいずれかが選択可能に割り当てられている旨を示唆する表示をなす
請求項１１に記載のプログラム。
【請求項１３】
タッチパネルを用いた文字入力装置に組み込まれるプログラムであって、
前記文字入力装置を、
前記タッチパネルに表示された操作ガイド領域と文字選択領域とのうち該文字選択領域に対する操作を受け付けて処理し、前記タッチパネル上の操作位置を示す位置情報を少なくとも出力する入力処理手段、
前記文字選択領域を区分した複数の領域の各領域でそれぞれ選択可能な文字群を示したテーブルを複数保持した記憶手段、
前記文字選択領域に対する第１操作がなされたときは、該第１操作に係る前記位置情報に基づいて前記複数の領域のうちの１つを特定し、前記記憶手段より当該領域に対応したテーブルを選択し、前記文字選択領域に対する第２操作がなされたときは、当該第２操作に係る前記位置情報に基づいて前記複数の領域のうちの１つを特定し、前記選択されたテーブルを参照して、文字を特定する文字特定処理手段、
前記特定された文字を前記タッチパネル上に表示する表示制御手段、
として機構させ、
前記文字選択領域は、第１乃至第８の領域に区分されており、
該第１乃至第８の領域には、前記選択可能な文字群として、「あ行、か、き、く」からなる第１文字群と、「け、こ、さ行」からなる第２文字群と、「た行、な、に、ぬ」からなる第３文字群と、「ね、の、は行」からなる第４文字群と、「ま行、や、ゆ、よ」からなる第５文字群と、「ら行、わ、を、ん」からなる第６文字群と、記号に係る第７文字群と、操作に係る第８文字群と、のいずれかが重複することなく割り当てられており、
前記操作ガイド領域には、第１乃至第８の領域に上記第１乃至第８文字群のいずれかが選択可能に割り当てられている旨を示唆する表示をなす
プログラム。
【請求項１４】
前記文字選択領域と少なくとも一部が重なる領域に広告表示領域が設けられており、
前記文字入力装置を、前記文字入力の過程で前記広告表示領域に広告を表示する広告制御部、として更に機能させる
請求項１１乃至請求項１３のいずれか１項に記載のプログラム。
【請求項１５】
前記文字選択領域は、画面の左寄り、あるいは右寄りに矩形領域で割り当てられる
請求項１１乃至請求項１４のいずれか１項に記載のプログラム。